(57)【要約】【課題】  ヒンジでの亀裂の発生を防止し、かつ外れ難いノイズ吸収装置用ケース及び該ケースを備えたノイズ吸収装置の提供。【解決手段】  第一ケース部３と、第一ケース部３と合わさる第二ケース部４と、第一、第二ケース部３、４が合わさった際に屈曲箇所となるヒンジ５とを備え、第一、第二ケース部３、４は、合わさった場合に対峙する第一合わせ面３Ａと第二合わせ面４Ａとを有し、ヒンジ５は、第一、第二合わせ面４Ａ、４Ｂに近接する第一屈曲面５Ａと、第一屈曲面５Ａの反対側に位置し第一、第二合わせ面４Ａ、４Ｂから離間する第二屈曲面５Ｂとを有し、第一、第二屈曲面５Ａ、５Ｂはそれぞれ第一、第二ケース部３、４と接続して構成され、第二屈曲面５Ｂでの第一ケース部３と第二ケース部４との間の距離は、第一屈曲面５Ａでの第一ケース部３と第二ケース部４との間の距離より長く構成されている。【選択図】図３
2008021702.tif 000002
【特許請求の範囲】
【請求項１】
第一ケースと、
該第一ケースと合わさると共に該第一ケースと協働して内部に空間を画成する第二ケースと、
該第一ケースと該第二ケースとを連結し、該第一ケースと該第二ケースとが合わさった際に屈曲するヒンジとを備え、
該第一ケースと該第二ケースとは、互いに合わさった場合に対峙する第一合わせ面と第二合わせ面とをそれぞれ有し、
該ヒンジは、該第一合わせ面及び該第二合わせ面に近接する第一屈曲面と、該第一屈曲面の反対側に位置し該第一合わせ面及び該第二合わせ面から離間する第二屈曲面とを備え、該第一屈曲面と該第二屈曲面とはそれぞれ該第一ケース及び該第二ケースと接続して構成され、
該第二屈曲面における該第一ケースとの接続箇所から該第二ケースとの接続箇所までの距離は、該第一屈曲面における該第一ケースとの接続箇所から該第二ケースとの接続箇所までの距離より長く構成されていることを特徴とするノイズ吸収装置用ケース。
【請求項２】
該第一ケースは該ヒンジと連続する第一壁部を有し、
該第二ケースは該ヒンジと連続する第二壁部を有し、
該第一壁部と該第二壁部において、該ヒンジの該第二屈曲面と交わる箇所は、該第一ケースと該第二ケースとを結ぶ方向において互いに反対側に窪む第一凹部と第二凹部とがそれぞれ形成されていることを特徴とする請求項１に記載のノイズ吸収装置用ケース。
【請求項３】
該第一ケースと該ヒンジの該第二屈曲面とが交わる箇所と、該第二ケースと該ヒンジの該第二屈曲面とが交わる箇所とは、それぞれＲ状に形成されていることを特徴とする請求項１または請求項２の何れかに記載のノイズ吸収装置用ケース。
【請求項４】
該第一壁部と該第二壁部とにおいて該第一屈曲面と交わる箇所には、該第一ケースと該第二ケースとを結ぶ方向において互いに反対側に窪む第三凹部と第四凹部とがそれぞれ形成されており、
該第一壁部と該ヒンジの該第一屈曲面及び該第二屈曲面とが交わる箇所と、該第二壁部と該ヒンジの該第一屈曲面及び該第二屈曲面とが交わる箇所とは、それぞれＲ形状に形成され、
該第一壁部において該第二屈曲面と交わる箇所のＲ形状の半径は、該第一屈曲面と交わる箇所のＲ形状の半径より大きく構成され、
該第二壁部において該第二屈曲面と交わる箇所のＲ形状の半径は、該第一屈曲面と交わる箇所のＲ形状の半径より大きく構成されていることを特徴とする請求項２に記載のノイズ吸収装置用ケース。
【請求項５】
該第一ケースと該第二ケースとが合わさった状態で、該第一合わせ面及び該第二合わせ面は、該ヒンジ近傍に位置する部分が互いに離間するように構成されていることを特徴とする請求項１から請求項４のいずれかに記載のノイズ吸収装置用ケース。
【請求項６】
請求項１から請求項５のいずれかに記載された該ノイズ吸収装置用ケースと、
該空間に収容されるコアとを備えたことを特徴とするノイズ吸収装置。
【発明の詳細な説明】
【技術分野】
【０００１】
本発明はノイズ吸収装置用ケース及びノイズ吸収装置に関する。
【背景技術】
【０００２】
従来、電子機器において、電源より発生されるノイズを除去するためにフェライトコアを備えたノイズ吸収装置が電源ケーブルに取り付けられている。具体的には貫通孔が形成されたフェライトコアの貫通孔内に電源ケーブルを挿通し、フェライトコアが電源ケーブルに対して動かないようにすると共にコアの破損を防止するために、樹脂製のケースでフェライトコアを覆っている。
【０００３】
ノイズ吸収装置におけるケースの材料として上述したように樹脂素材を用いるが、その中でも引っ張り強度、伸び、曲げ弾性率、衝撃強度、熱変形温度の物性が優れているナイロン素材が多く用いられている。
【０００４】
このケースは、装着時の利便性を図るため、特許文献１に示されるように、半割りにされた一対のケースをヒンジで繋いであり、ヒンジ部分で折り曲げて、半割りのケースを互いに合わせることにより内部にコアを内蔵しつつコアに装着することが可能となっている。
【特許文献１】特開２００２−２２２７１３号公報
【発明の開示】
【発明が解決しようとする課題】
【０００５】
ナイロン素材のケースでは、成型した直後はその含水率が略０％であるため、吸水処理を行って靱性を高めている。しかし、冬季のような乾燥した雰囲気下では、その含水率が下がって靱性が低下する場合があった。この場合には屈曲部分であるヒンジにヒビ等の亀裂が発生する場合があった。
【０００６】
特許文献１では、ヒンジの中央に突起を設けることにより、ヒンジの中央に掛かる応力集中を低下する手段が開示されている。このような構成によると、突起が設けられている分ヒンジが長くなり、ケースが閉じられた場合にヒンジがケース外に突出し、ノイズ吸収装置の最外郭形状を大きくする場合があった。またヒンジが長いので、ケースが閉じられた時に、ケースの軸方向で一対の半割りのケースが互いにずれやすく、場合によっては閉じたケースの係合部分がはずれる場合があった。
【０００７】
よって本発明は、ヒンジでの亀裂の発生を防止し、かつ外れ難いノイズ吸収装置用ケース及びノイズ吸収装置用ケースを備えたノイズ吸収装置を提供することを目的とする。
【課題を解決するための手段】
【０００８】
上記課題を解決するために本発明は、第一ケースと、第一ケースと合わさると共に第一ケースと協働して内部に空間を画成する第二ケースと、第一ケースと第二ケースとを連結し、第一ケースと第二ケースとが合わさった際に屈曲するヒンジとを備えたノイズ吸収装置用ケース及びこのノイズ吸収装置用ケースを用いて内部に画成される空間にコアを収納したノイズ吸収装置を提供する。このノイズ吸収装置用ケースにおいて第一ケースと第二ケースとは、互いに合わさった場合に対峙する第一合わせ面と第二合わせ面とをそれぞれ有している。ヒンジは、第一合わせ面及び第二合わせ面に近接する第一屈曲面と、第一屈曲面の反対側に位置し第一合わせ面及び第二合わせ面から離間する第二屈曲面とを有している。第一屈曲面と第二屈曲面とはそれぞれ第一ケース及び第二ケースと接続して構成されている。そして第二屈曲面における第一ケースとの接続箇所から第二ケースとの接続箇所までの距離は、第一屈曲面における第一ケースとの接続箇所から第二ケースとの接続箇所までの距離より長く構成されている。
【０００９】
このような構成によると、ヒンジを屈曲させて弧状に折り曲げた際に、内周縁部分となる第一屈曲面よりも外周縁部分となる第二屈曲面の周方向の距離を長くすることができる。よってヒンジの屈曲時に引張応力が作用する箇所を長くすることができ、引張応力を分散することができる。
【００１０】
上記構成のノイズ吸収装置用ケースにおいて、第一ケースはヒンジと連続する第一壁部を有し、第二ケースはヒンジと連続する第二壁部を有し、第一壁部と第二壁部においてヒンジの第二屈曲面と交わる箇所は、第一ケースと第二ケースとを結ぶ方向において互いに反対側に窪む第一凹部と第二凹部とがそれぞれ形成されていることが好ましい。
【００１１】
このような構成によると第一ケースと第二ケースとが合わさってノイズ吸収装置用ケースが閉じられたときに、ヒンジがノイズ吸収装置用ケースの輪郭線から突出することが抑制される。また凹部を形成することでヒンジそのものを長くすることなく、第二屈曲面を第一屈曲面より長く形成することができる。
【００１２】
また第一ケースとヒンジの第二屈曲面とが交わる箇所と、第二ケースとヒンジの第二屈曲面とが交わる箇所とは、それぞれＲ状に形成されていることが好ましい。
【００１３】
このような構成によると、ノイズ吸収装置用ケースが閉じられたときに、第一ケース及び第二ケースとヒンジの第二屈曲面とが交わる箇所のＲ形状部分で、曲げに係る応力を発散することができ、角部での応力の一点集中を避け散らすことができる。
【００１４】
また第一壁部と第二壁部において第一屈曲面と交わる箇所は、第一ケースと第二ケースとを結ぶ方向において互いに反対側に窪む第三凹部と第四凹部とがそれぞれ形成されており、第一壁部とヒンジの第一屈曲面及び第二屈曲面とが交わる箇所と第二壁部とヒンジの第一屈曲面及び第二屈曲面とが交わる箇所とはそれぞれＲ形状に形成され、第一壁部において第二屈曲面と交わる箇所のＲ形状の半径は第一屈曲面と交わる箇所のＲ形状の半径より大きく構成され、第二壁部において第二屈曲面と交わる箇所のＲ形状の半径は第一屈曲面と交わる箇所のＲ形状の半径より大きく構成されていることが好ましい。
【００１５】
このような構成によると、ヒンジが屈曲した際の外周縁部分となる第二屈曲面にかかるＲ形状部分の半径が大きくなる。これによりノイズ吸収装置用ケースが閉じられたときに第一ケース及び第二ケースとヒンジの第二屈曲面とが交わる箇所のＲ形状部分で応力を発散することができる。またＲ形状部分の半径を大きくすることにより、外周縁部分となる第二屈曲面の引張応力が発生する部分の距離を長くすることができる。よってヒンジの屈曲時に発生する引張応力を分散して、更に応力集中を抑制することができる。
【００１６】
また第一ケースと第二ケースとが合わさった状態で、第一合わせ面及び第二合わせ面は、ヒンジ近傍に位置する部分が互いに離間するように構成されていることが好ましい。
【００１７】
このような構成によると、ヒンジ近傍の第一合わせ面と第二合わせ面とが当接することによって互いに突っ張ることが抑制され、第一合わせ面と第二合わせ面とが当接して突っ張ることによりヒンジが引っ張られて伸びることが抑制される。
【発明の効果】
【００１８】
本発明のノイズ吸収装置用ケース及びノイズ吸収装置によれば、ヒンジでの亀裂の発生を簡単な構造で抑制し、またノイズ吸収装置用ケースがコアより外れ難くなる。
【発明を実施するための最良の形態】
【００１９】
以下、本発明の第一の実施の形態に係るノイズ吸収装置について図１から図７を参照しながら説明する。図１に示されるノイズ吸収装置１は、ケース２とコア６とから構成されている。
【００２０】
図１に示されるように、ケース２はナイロン樹脂を素材として、第一ケース部３と、第二ケース部４とから構成されている。第一ケース部３と第二ケース部４との間には、一対のヒンジ５、５が設けられて第一ケース部３と第二ケース部４とを一体に接続している。
【００２１】
第一ケース部３は、円筒が半割りされた形状の第一周壁部３１と、第一周壁部３１の軸方向の一端を塞ぐ第一端壁部３２と、第一周壁部３１の軸方向の他端を塞ぐ第二端壁部３３とから構成されている。以下、第一周壁部３１の一端から他端へと向かう方向（ケーブル挿通方向）をｘ軸方向と定義する。
【００２２】
第一ケース部３は、第一周壁部３１の周方向一端側に配置された縁と第一端壁部３２の縁の一部と第二端壁部３３の縁の一部とから規定される第一面３４Ａと、第一周壁部３１の周方向他端側に配置された縁と第一端壁部３２の縁の他部と第二端壁部３３の縁の他部とから規定される第二面３４Ｂとを備えている。第一面３４Ａと、第二面３４Ｂとは、それぞれ同一平面上に位置して第一合わせ面３Ａを構成している。第二面３４Ｂは一対のヒンジ５、５の近傍に配置されている。
【００２３】
第一周壁部３１は、第二面３４Ｂ位置で一対のヒンジ５、５の一側部に一体に接続されており、一対のヒンジ５、５の他側部には第二ケース部４が一体に接続されている。よって第一ケース部３と第二ケース部４とを結ぶ方向であってｘ軸方向と直交する方向をｙ軸方向と定義する。またｘ軸方向、ｙ軸方向それぞれに直交する方向をｚ軸方向と定義する。
【００２４】
また第一周壁部３１においてヒンジ５、５接続箇所近傍位置には、略ｙ軸方向に窪み後述の第二屈曲面５Ｂによって規定される第一凹部３ａ（図２）と、略ｙ軸方向に窪み後述の第一屈曲面５Ａによって規定される第三凹部３ｂ（図２）とが形成されている。
【００２５】
第一端壁部３２及び第二端壁部３３は円板を略半分に切断した形状に構成されている。第一端壁部３２及び第二端壁部３３のｙ軸方向略中央部分には、それぞれ半円弧状の第一ケーブル挿通溝３ｃ及び第二ケーブル挿通溝３ｄが形成されている。
【００２６】
図１に示されるように、第一周壁部３１には、ｘ軸方向に並んで四角に切り取られた空間が四隅近傍に形成されており、この空間内に、第一支持片３１Ｂがそれぞれ設けられている。
【００２７】
また第一周壁部３１の底部位置には、その中央部分にｘ軸方向に並んで一対の第一コア押さえ片３１Ｃが設けられている。一対の第一コア押さえ片３１Ｃは、それぞれ第一周壁部３１の一部が略Ｕの字状に切り取られて切片が構成され、その切片が第一周壁部３１と繋がっている部分を基端として第一周壁部３１内方に折り曲げられて構成されている。
【００２８】
また第一周壁部３１であって、ｘ軸方向において一対の第一コア押さえ片３１Ｃの両端側位置には、一対の第一ケーブル保持部３１Ｄ、３１Ｄが設けられている。
【００２９】
第一端壁部３２の第一面３４Ａ近傍位置及び第二面３４Ｂ近傍位置からは、それぞれ第一コア保持部材３６、３６がｘ軸と平行に、第一ケース部３内方に向かって延出されている。第二端壁部３３の第一面３４Ａ近傍位置及び第二面３４Ｂ近傍位置からも、第一端壁部３２と同様に、第一コア保持部材３６、３６がｘ軸と平行に、第一ケース部３内方に向かって延出されている。
【００３０】
第一周壁部３１の第一面３４Ａ位置からは、ｚ軸方向に向けて延出された一対の第一掛止片部３９、３９が設けられており、一対の第一掛止片部３９、３９には、それぞれ掛止貫通孔３９ａ、３９ａが形成されている。
【００３１】
第二ケース部４は、第二周壁部４１と、第二周壁部４１の一端を塞ぐ第三端壁部４２と、第二周壁部４１の他端を塞ぐ第三端壁部４３とから構成されており、ヒンジ５、５のｙ軸方向略中央を通るｚ−ｘ平面に対して第一ケース部３と略同じ構成を取っている。従って、第二ケース部４の構成部品及び形状のうち、第一ケース部３に設けられている構成部品と同じ構成を取っている部品及び形状、具体的には、第二凹部４ａ、第四凹部４ｂ、第三ケーブル挿通溝４ｃ、第四ケーブル挿通溝４ｄ、第二支持片４１Ｂ、第二押さえ片４１Ｃ、第二ケーブル保持部４１Ｄ、第二合わせ面４Ａ、第三面４４Ａ、第四面４４Ｂ、及び第二コア保持部材４６については、第一ケース部３の構成部品及び形状と同一であるため、その説明を省略する。
【００３２】
図１に示されるように、第三端壁部４２の第三面４４Ａ位置には、一対の掛止貫通孔３９ａ、３９ａと掛止可能な一対の掛止爪部４９、４９が設けられている。
【００３３】
一対のヒンジ５、５は、図２〜図４に示されるように、それぞれ第一合わせ面３Ａ及び第二合わせ面４Ａに近接する第一屈曲面５Ａと、第一屈曲面の反対側に位置し第一合わせ面３Ａ及び第二合わせ面４Ａから離間する第二屈曲面５Ｂとを有している。尚、一対のヒンジ部５、５は何れも同一形状を採るため、一方のみについて説明する。
【００３４】
第一屈曲面５Ａと第二屈曲面５Ｂとは、それぞれ第一ケース部３の第一周壁部３１及び第二ケース部４の第二周壁部４１と接続して構成されている。第二屈曲面５Ｂにおける第一ケース部３との接続箇所から第二ケース部４との接続箇所までの距離は、第一屈曲面５Ａにおける第一ケース部３との接続箇所から第二ケース部４との接続箇所までの距離より長く構成されている。
【００３５】
第一屈曲面５Ａの第一ケース部３及び第二ケース部４との接続箇所及び第二屈曲面５Ｂの第一ケース部３及び第二ケース部４との接続箇所は、ｘ軸方向と直交する断面がＲ形状になるように構成されている。そして第一ケース部３の第一周壁部３１において、第二屈曲面５Ｂと交わる箇所のＲ形状の半径は、第一屈曲面５Ａと交わる箇所のＲ形状の半径より大きく構成されている。同様に第二ケース部４の第二周壁部４１において、第二屈曲面５Ｂと交わる箇所のＲ形状の半径は、第一屈曲面５Ａと交わる箇所のＲ形状の半径より大きく構成されている。
【００３６】
またヒンジ５は、第一周壁部３１の第一凹部３ａ及び第三凹部３ｂを画成する壁において、ｙ軸方向と直交する壁にのみ接続され、ｙ−ｚ方向に平面を有する壁とは離間するように構成されている。よってヒンジ５が屈曲する際には、第一周壁部３１と交わる箇所のＲ形状部分で曲がることが可能となっている。ヒンジ５と第二周壁部４１との接続箇所も第一周壁部３１との接続箇所と同様に構成されている。
【００３７】
図１に示されるように、コア６は略円筒状のフェライト基材を直径方向に半割りにした第一コア７と第二コア８とから構成されている。
【００３８】
第一コア７は、半割りされた切断面である第一コア面７Ａ、７Ａを備え、第一コア面７Ａ、７Ａの間には、図示せぬケーブルが通る通路となる貫通孔の半分部分である第一コア溝７ａが形成されている。この第一コア溝７ａと後述の第二コア溝８ａとが合わせられることにより、図示せぬケーブルが挿通する通路が形成される。第一コア面７Ａ、７Ａのｘ軸方向両端には、それぞれ第一コア保持部材３６と係合可能な第一コア切り欠き７ｃがそれぞれ形成されている。また第一コア７の第一コア溝７ａの底部であってｘ軸方向両端には、第一コア７を第一ケース部３に装着した際に、一対の第一ケーブル保持部３１Ｄ、３１Ｄがそれぞれ挿入される空間となる第一コア凹部７ｂ、７ｂがそれぞれ形成されている。
【００３９】
第二コア８は、第一コア７と同一形状に構成されており、第二コア面８Ａを備え、第二コア溝８ａが形成され、第二コア面８Ａの挿通孔方向一端側及び他端側には、それぞれ第二コア保持部材４６と係合可能な第二コア切り欠き８ｃが形成されており、第二コア溝８ａの底部であって一端側位置と他端側位置とには、第二コア凹部８ｂ、８ｂが形成されている。
【００４０】
第一コア７及び第二コア８をケース２に装着した際には、図５に示されるように、第一コア７においては、第一ケース部３内に挿入されて、第一ケーブル保持部３１Ｄ、３１Ｄがそれぞれ第一コア凹部７ｂ、７ｂ内にそれぞれ入ると共に、第一コア保持部材３６が第一コア切り欠き７ｃにそれぞれ掛止される。第二コア８も同様に第二ケース部４内に挿入される。
【００４１】
この場合に、第一コア７は、第一支持片３１Ｂ及び一対の第一コア押さえ片３１Ｃ、３１Ｃ（図１）によりｚ軸方向に付勢され、第二コア８は、第二支持片４１Ｂ及び一対の第二コア押さえ片４１Ｃ、４１Ｃ（図１）によりｚ軸方向に付勢されている。よって第一コア７の第一コア面７Ａと第二コア８の第二コア面８Ａは、第一合わせ面３Ａ及び第二合わせ面４Ａより突出した位置に配置される。
【００４２】
ケーブル９（図６）を第二コア溝８ａ（図５）に配置して、ヒンジ５、５を支点として第一ケース部３を第二ケース部４側に回動させ、掛止爪部４９、４９を掛止貫通孔３９、３９に掛止して、図６に示されるように第一ケース部３と第二ケース部４とを重ね合わせてケース２を閉じる。
【００４３】
第一コア面７Ａと第二コア面８Ａとは、第一合わせ面３Ａ及び第二合わせ面４Ａより突出しているため、第一コア７の第一コア面７Ａと、第二コア８の第二コア面８Ａとは当接する。この場合に、第一コア７は一対の第一コア押さえ片３１Ｃ、３１Ｃ等により付勢され、第二コア８は一対の第二コア押さえ片４１Ｃ、４１Ｃ等により付勢されているため、第一コア７と第二コア８とを含むコア６は、ケース２内で一対の第一コア押さえ片３１Ｃ、３１Ｃと第二コア押さえ片４１Ｃ、４１Ｃ等により弾性的に保持された状態となる。
【００４４】
よって、第一ケース部３と第二ケース部４との間には、第一合わせ面３Ａ及び第二合わせ面４Ａを境界として、互いに離間するような反力が働き、図６及び図７に示されるように少なくともヒンジ５近傍の第一合わせ面３Ａと第二合わせ面４Ａとが互いに離間する。
【００４５】
このような構成によると、ヒンジ５近傍の第一合わせ面３Ａと第二合わせ面４Ａとが当接することによって互いに突っ張ることが抑制される。よって第一合わせ面３Ａと第二合わせ面４Ａとが当接して支点になると共にヒンジ５部分が作用点となってヒンジ５が引っ張られることが抑制される。
【００４６】
ヒンジ５は、ケース２を閉じた際に、図７に示されるように、円弧を描くように屈曲する。この場合に内側の円弧となる第一屈曲面５Ａ部分では圧縮応力が発生し、外側の円弧となる第二屈曲面５Ｂには引張応力が発生する。第二屈曲面５Ｂは、第一屈曲面５Ａよりｙ軸方向（図２）において長く構成されているため、引張応力が作用する箇所が長くなっている。故に第二屈曲面５Ｂにおいて引張応力が緩和され、屈曲に起因するヒビの発生が抑制される。
【００４７】
ヒンジ５は、ケース２のｘ軸と直交する断面における輪郭線より内部となる第一凹部３ａ〜第四凹部４ｂを両端として屈曲している。故に図７に示されるようにケース２を閉じた際に、ヒンジ５を第一凹部３ａ〜第四凹部４ｂ内で屈曲させることができ、ヒンジ５がケース２の輪郭線から突出することを抑制することができる。
【００４８】
ヒンジ５においては、基端部分となる第一ケース部３及び第二ケース部４との接続位置にも屈曲時に応力が発生する。しかし第一ケース部３及び第二ケース部４との接続位置は全てＲ形状に構成されているため、このＲ形状部分に応力が発生することになる。Ｒ形状部分では応力に対する弱点が形成され難く、応力を発散することができるため、ヒンジ５の基端部分に応力集中箇所が形成されず、ヒンジ５の屈曲に対する耐久性を増すことができる。
【００４９】
またヒンジ５が屈曲した際の外周縁部分となる第二屈曲面５ＢにかかるＲ形状部分の半径は第一屈曲面５Ａの半径より大きく構成されている。これにより外周縁部分となる第二屈曲面５Ｂの引張応力が発生する部分の距離を長くすることができる。よってヒンジの屈曲時に発生する引張を更に分散し、第二屈曲面５Ｂにヒビが発生することを更に抑制することができる。
【００５０】
上述したようにケース２を閉じてヒンジ５を屈曲させた際に、ヒンジ５でのヒビの発生を抑制することができる。これはケース２の含水率が高く柔軟性を備えている場合に限らず、ケース２の含水率が略０％となった場合であっても同様にヒビの発生を抑制することができる。
【００５１】
また、ケース２においては、第一ケース部３と第二ケース部４との間の距離を変えずに、ヒンジ５に係る距離のみを変更している。よって既存の金型の形状を大幅に変更することなく、一部改良のみでケース２を製造することができ、資産を有効に活用することができる。
【図面の簡単な説明】
【００５２】
【図１】本発明の実施の形態に係るノイズ吸収装置の分解斜視図。
【図２】図１のII−II線に沿った断面図。
【図３】本発明の実施の形態に係るノイズ吸収装置用ケースのヒンジ部分を示す部分断面図。
【図４】本発明の実施の形態に係るノイズ吸収装置用ケースのヒンジ部分を示す部分断面斜視図。
【図５】本発明の実施の形態に係るノイズ吸収装置の斜視図。
【図６】本発明の実施の形態に係るノイズ吸収装置を導線に取り付けた状態の斜視図。
【図７】本発明の実施の形態に係るノイズ吸収装置用ケースのヒンジ部分を示す部分断面図（第一ケースと第二ケースとを重ね合わせた状態）。
【符号の説明】
【００５３】
１・・ノイズ吸収装置  ２・・ケース  ３・・第一ケース部  ３Ａ・・第一合わせ面
３ａ・・第一凹部  ３ｂ・・第三凹部  ３ｃ・・第一ケーブル挿通溝
３ｄ・・第二ケーブル挿通溝  ４・・第二ケース部  ４Ａ・・第二合わせ面
４ａ・・第二凹部  ４ｂ・・第四凹部  ４ｃ・・第三ケーブル挿通溝
４ｄ・・第四ケーブル挿通溝  ５・・ヒンジ  ５・・ヒンジ部  ５Ａ・・第一屈曲面
５Ｂ・・第二屈曲面  ６・・コア  ７・・第一コア  ７Ａ・・第一コア面
７ａ・・第一コア溝  ７ｂ・・第一コア凹部  ８・・第二コア  ８Ａ・・第二コア面
８ａ・・第二コア溝  ８ｂ・・第二コア凹部  ９・・ケーブル  ３１・・第一周壁部
３１Ｂ・・第一支持片  ３１Ｃ・・第一コア押さえ片  ３１Ｄ・・第一ケーブル保持部
３２・・第一端壁部  ３３・・第二端壁部  ３４Ａ・・第一面  ３４Ｂ・・第二面
３６・・第一コア保持部材  ３９・・第一掛止片部  ３９ａ・・掛止貫通孔
４１・・第二周壁部  ４１Ｂ・・第二支持片  ４１Ｃ・・第二コア押さえ片
４１Ｄ・・第二ケーブル保持部  ４２・・第三端壁部  ４３・・第三端壁部
４４Ａ・・第三面  ４４Ｂ・・第四面  ４６・・第二コア保持部材  ４９・・掛止爪部
【図１】
2008021702.tif 000003
【図２】
2008021702.tif 000004
【図３】
2008021702.tif 000005
【図４】
2008021702.tif 000006
【図５】
2008021702.tif 000007
【図６】
2008021702.tif 000008
【図７】
2008021702.tif 000009